(57)【要約】  本発明は、携帯端末機のテキスト編集方法及び装置に関し、特に、携帯端末機のテキスト編集の過程において、マルチテキストの選択を通じて便利にテキストを編集できる携帯端末機のテキスト編集方法及び装置に関する。携帯端末機のテキスト編集方法は、表示部に複数のテキストを表示中、編集メニューからコピーが選択されると、コピーアイコンを通じて選択される少なくとも一つのテキストについての色を変更表示し、上記色の変更された少なくとも一つのテキストを記憶するコピー過程と、上記編集メニューからペーストが選択されると、上記コピー過程を通じて記憶された少なくとも一つのテキストを含むリストから選択されたテキストを上記表示部の一定の位置に貼り付けるペースト過程とを、含むことを特徴とする。
2014523586.tif 000002
【特許請求の範囲】
【請求項１】
携帯端末機のテキスト編集方法であって、
表示部に複数のテキストを表示中、コピーが選択されると、コピーアイコンにより選択される少なくとも一つのテキストについての色を変更表示し、上記色の変更された少なくとも一つのテキストを記憶するコピー過程と、
ペーストが選択されると、上記コピー過程を通じて記憶された少なくとも一つのテキストを含むリストから選択されたテキストを上記表示部の一定の位置に貼り付けるペースト過程とを、
含むことを特徴とする携帯端末機のテキスト編集方法。
【請求項２】
前記表示部に複数のテキストを表示中、前記表示部の一定の領域に一定の時間以上タッチが発生されると、前記表示部に編集メニューウィンドウを表示する過程をさらに含むことを特徴とする請求項１に記載の携帯端末機のテキスト編集方法。
【請求項３】
前記コピー過程は、
前記表示部の一定の領域にタッチが発生すると、カーソル及び編集アイコンを表示する過程と、
前記カーソル及び編集アイコンが、前記表示部に表示中の複数のテキストの中、当該テキストに位置された後、一定の時間が経過されると、前記編集アイコンを前記コピーアイコンに変更して表示する過程と、
前記カーソル及びコピーアイコンを通じて、前記当該テキストが選択されると、前記当該テキストの色を変更して表示し、前記色の変更された当該テキストをメモリに記憶する過程と、
前記過程を繰り返して前記少なくとも一つのテキストについての色を変更し、前記少なくとも一つの色の変更されたテキストを前記メモリに記憶する過程とを、
含むことを特徴とする請求項１に記載の携帯端末機のテキスト編集方法。
【請求項４】
前記編集アイコンは、色の変更を通じて、上記コピーアイコンに変更されて表示されることを特徴とする請求項３に記載の携帯端末機のテキスト編集方法。
【請求項５】
前記カーソル及びコピーアイコンが、前記色の変更された当該テキストに位置された後、一定の時間が経過されると、前記コピーアイコンを取消しアイコンに変更して表示する過程と、
前記カーソル及び取消しアイコンを通じて、前記色の変更された当該テキストが選択されると、前記当該テキストの色を元の色に変更して表示し、前記メモリから前記当該テキストを削除する取消し過程とを、さらに含むことを特徴とする請求項３に記載の携帯端末機のテキスト編集方法。
【請求項６】
前記コピーアイコンは、形の変更を通じて、前記取消しアイコンに変更されて表示されることを特徴とする請求項５に記載の携帯端末機のテキスト編集方法。
【請求項７】
前記ペースト過程は、
前記コピー過程を通じて記憶された少なくとも一つのテキストをリストに表示する過程と、
前記リストから当該テキストが選択された後、カーソル及び編集アイコンが、前記表示部の一定の位置へ移動すると、前記編集アイコンが移動された一定の位置に前記当該テキストのペーストを行う過程とを、含むことを特徴とする請求項１に記載の携帯端末機のテキスト編集方法。
【請求項８】
前記リストから当該テキストが選択された後、前記カーソル及び前記編集アイコンが、前記表示部の削除領域へ移動されると、メモリから前記当該テキストを削除する過程を、さらに含むことを特徴とする請求項７に記載の携帯端末機のテキスト編集方法。
【請求項９】
携帯端末機のテキスト編集装置であって、
コピー過程で、コピーアイコンにより選択されて、色の変更された少なくとも一つのテキストを表示し、ペースト過程で、前記少なくとも一つのテキストを含むリストを表示する表示部と、
前記コピー過程で、前記コピーアイコンにより選択される少なくとも一つのテキストについての色を変更表示し、前記少なくとも一つの色の変更されたテキストを記憶し、前記ペースト過程で、前記少なくとも一つのテキストを含むリストから選択されたテキストを前記表示部の一定の位置に貼り付けるよう制御する制御部とを、
含むことを特徴とする携帯端末機のテキスト編集装置。
【請求項１０】
前記制御部は、
複数のテキストを表示中の前記表示部の一定の領域に一定の時間以上タッチが発生されると、コピーメニュー及びペーストメニューを含む編集メニューウィンドウを表示するよう制御することを特徴とする請求項９に記載の携帯端末機のテキスト編集装置。
【請求項１１】
前記制御部は、
前記コピー過程で、前記表示部の一定の領域にタッチが発生されると、カーソル及び編集アイコンを表示し、前記カーソル及び編集アイコンが、前記表示部に表示中の複数のテキストから当該テキストに位置された後、一定の時間が経過されると、前記編集アイコンを前記コピーアイコンに変更して表示し、前記カーソル及びコピーアイコンを通じて選択された当該テキストの色を変更して表示し、前記色の変更された当該テキストをメモリに記憶するよう制御することを特徴とする請求項９に記載の携帯端末機のテキスト編集装置。
【請求項１２】
前記編集アイコンは、色の変更を通じて前記コピーアイコンに変更されて表示されることを特徴とする請求項１１に記載の携帯端末機のテキスト編集装置。
【請求項１３】
前記制御部は、
前記カーソル及びコピーアイコンが、前記色の変更された当該テキストに位置された後、一定の時間が経過されると、前記コピーアイコンを取消しアイコンに変更して表示し、前記カーソル及び取消しアイコンを通じて、前記色の変更された当該テキストが選択されると、前記当該テキストの色を元の色に変更して表示し、前記メモリから前記当該テキストを削除するよう制御することを特徴とする請求項１１に記載の携帯端末機のテキスト編集装置。
【請求項１４】
前記コピーアイコンは、形の変更を通じて、前記取消しアイコンに変更されて表示されることを特徴とする請求項１３に記載の携帯端末機のテキスト編集装置。
【請求項１５】
前記制御部は、
前記ペースト過程で、前記コピー過程を通じて記憶された少なくとも一つのテキストを含むリストから当該テキストが選択された後、カーソル及び編集アイコンが前記表示部の一定の位置へ移動されると、前記編集アイコンが移動された一定の位置に、前記当該テキストのペーストを行うよう制御することを特徴とする請求項９に記載の携帯端末機のテキスト編集装置。
【請求項１６】
前記制御部は、
前記リストから当該テキストが選択された後、前記カーソル及び編集アイコンが、前記表示部の削除領域へ移動されると、メモリから前記当該テキストを削除するよう制御することを特徴とする請求項１５に記載の携帯端末機のテキスト編集装置。
【発明の詳細な説明】
【技術分野】
【０００１】
本発明は、携帯端末機のテキスト編集方法及び装置に関し、特に、携帯端末機のテキスト編集の過程において、マルチテキストの選択を通じて便利にテキストが編集できる携帯端末機のテキスト編集方法及び装置に関する。
【背景技術】
【０００２】
最近、電子工学及び通信工学の分野において飛躍的な発展に従い、携帯端末機も多様な機能を有するようになった。即ち、無線通信及びデータ処理技術の急速な発展に応じて、携帯端末機を用いて、音声通話だけでなく、インターネット接続、画像通信及び動画メッセージの転送などの機能を利用できるようになった。
【０００３】
また、携帯端末機の急激な普及により、人間関係から生じる相当量の通信が、携帯端末機を通じて行なわれているなど、携帯端末機は、現代生活の必須的な通信手段としての位置を占めている。
【０００４】
このような携帯端末機の発展に伴って、携帯端末機を通じて提供されるサービスは、より増加し、多様になっている。
【０００５】
また、文字メッセージの作成に使われたテキストの編集機能は、携帯端末機のインターネットを通じて表示されるテキストと共に、携帯端末機の特定のモードに応じて、表示部に表示する全てのテキストに対する編集機能を提供する。
【０００６】
現在、携帯端末機で提供されるテキストの編集機能は、一定の時間以上のタッチを通じて、当該テキストを選択した後、コピー機能を選択してコピーするか、又は表示部の一定の領域のタッチを通じて表示される多くの機能の中、コピー機能を選択した後、当該テキストを選択することにより、当該テキストをコピーする機能を提供している。
【０００７】
そして、上記のようにコピーした当該テキストは、上記表示部の一定の位置にペースト機能が行なわれる。
【０００８】
上記のように、現在、携帯端末機において提供されるテキストの編集機能は、複数の過程をへて一つのテキストをのみ選択してコピーした後、上記コピーした当該テキストについてのペースト機能を行なっている。
【０００９】
即ち、一回に一つのテキストをのみ選択するしかないので、複数のテキストをコピーしてペースト機能を行うためには、コピー機能とペースト機能を幾つか繰り返さなければならない面倒なことがある。
【発明の概要】
【発明が解決しようとする課題】
【００１０】
したがって、本発明の目的は、携帯端末機のテキスト編集の過程において、テキストの多重選択を通じて、便利にテキストが編集できる携帯端末機のテキスト編集方法及び装置を提供することにある。
【００１１】
本発明の他の目的は、実社会においてテキストの選択に用いられる蛍光ペンを、携帯端末機の文字編集の過程で用いることにより、ユーザにより慣れ親しんだＵＩが提供できる携帯端末機のテキスト編集方法及び装置を提供することにある。
【課題を解決するための手段】
【００１２】
上記のような目的を達成するために、本発明の一態様によれば、携帯端末機のテキスト編集方法が提供される。上記方法は、表示部に複数のテキストを表示する中、編集メニューからコピーが選択されると、コピーアイコンにより選択される少なくとも一つのテキストについての色を変更表示し、上記色の変更された少なくとも一つのテキストを記憶するコピー過程と、上記編集メニューからペーストが選択されると、上記コピー過程を通じて記憶された少なくとも一つのテキストを含むリストから選択されたテキストを上記表示部の一定の位置に貼り付けるペースト過程と、を含むことを特徴とする。
【００１３】
本発明の他の態様によれば、携帯端末機のテキスト編集装置が提供される。上記装置は、コピー過程において、コピーアイコンにより選択され、色の変更された少なくとも一つのテキストを表示し、ペースト過程において、上記少なくとも一つのテキストを含むリストを表示する表示部と；上記コピー過程において、上記コピーアイコンにより選択される少なくとも一つのテキストについての色を変更表示し、上記少なくとも一つのテキストを含むリストから選択されたテキストを上記表示部の一定の位置に貼り付けるよう制御する制御部とを、含むことを特徴とする。
【００１４】
本発明によれば、携帯端末機のテキスト編集方法及び装置を提供することによって、携帯端末機のテキスト編集の過程において、マルチテキストの選択を通じて、便利にテキストが編集できる効果を奏する。
【００１５】
また、本発明によれば、実社会においてテキストの選択時に用いられる蛍光ペンを、携帯端末機のテキスト編集の過程で用いることにより、ユーザにより慣れ親しんだＵＩが提供できる効果を奏する。
【００１６】
本発明による実施形態の上記及び他の態様、特徴、及び利点は、添付の図面と共に述べる以下の詳細な説明から、一層明らかになるはずである。
【図面の簡単な説明】
【００１７】
【図１】本発明の実施形態による携帯端末機の構成図である。
【図２Ａ】本発明の実施形態による携帯端末機のテキスト編集の過程を示すフローチャートである。
【図２Ｂ】本発明の実施形態による携帯端末機のテキスト編集の過程を示すフローチャートである。
【図２Ｃ】本発明の実施形態による携帯端末機のテキスト編集過程を示すフローチャートである。
【図３Ａ】本発明の実施形態による携帯端末機のテキスト編集過程におけるコピー過程を説明するための図面である。
【図３Ｂ】本発明の実施形態による携帯端末機のテキスト編集過程におけるコピー過程を説明するための図面である。
【図３Ｃ】本発明の実施形態による携帯端末機のテキスト編集過程におけるコピー過程を説明するための図面である。
【図３Ｄ】本発明の実施形態による携帯端末機のテキスト編集過程におけるコピー過程を説明するための図面である。
【図３Ｅ】本発明の実施形態による携帯端末機のテキスト編集過程におけるコピー過程を説明するための図面である。
【図３Ｆ】本発明の実施形態による携帯端末機のテキスト編集過程におけるコピー過程を説明するための図面である。
【図４Ａ】本発明の実施形態による携帯端末機におけるテキスト編集過程における取消し過程を説明するための図面である。
【図４Ｂ】本発明の実施形態による携帯端末機におけるテキスト編集過程における取消し過程を説明するための図面である。
【図４Ｃ】本発明の実施形態による携帯端末機におけるテキスト編集過程における取消し過程を説明するための図面である。
【図５Ａ】本発明の実施形態による携帯端末機のテキスト編集過程におけるペースト過程を説明するための図面である。
【図５Ｂ】本発明の実施形態による携帯端末機のテキスト編集過程におけるペースト過程を説明するための図面である。
【図５Ｃ】本発明の実施形態による携帯端末機のテキスト編集過程におけるペースト過程を説明するための図面である。
【図５Ｄ】本発明の実施形態による携帯端末機のテキスト編集過程におけるペースト過程を説明するための図面である。
【図６】本発明の実施形態による携帯端末機のテキスト編集過程における編集メニューの位置移動を説明するための図面である。
【発明を実施するための形態】
【００１８】
以下、添付の図面を参照して、本発明の好適な一実施形態について詳細に説明する。下記の説明において、同一の構成要素及び部分には、可能な限り同一の符号及び番号を使用するものとする。
【００１９】
図１は、本発明の実施形態による携帯端末機の構成を示す図である。
【００２０】
図１を参照すると、ＲＦ（Radiofrequency）部１２３は、携帯端末機の無線通信機能を行う。上記ＲＦ部１２３は、送信される信号の周波数をアップコンバーティング及び増幅するＲＦ送信器と、受信した信号を周波数の低雑音増幅によりダウンコンバーティングするＲＦ受信器とを含む。データ処理部１２０は、上記送信される信号を符号化及び変調する送信器、及び上記受信される信号を復調及び復号化する受信器などを含む。即ち、上記データ処理部１２０は、モデム（ＭＯＤＥＭ）及びコーデック（ＣＯＤＥＣ）からなってもよい。ここで、上記コーデックは、パケットデータなどを処理するデータコーデックと、音声などのオーディオ信号を処理するオーディオコーデックとを備える。オーディオ処理部１２５は、上記データ処理部１２０のオーディオコーデックから出力される受信オーディオ信号を再生するか、又は、マイク（ＭＩＣ）から発生される送信オーディオ信号を上記データ処理部１２０のオーディオコーデックへ転送する機能を遂行する。
【００２１】
キー入力部１２７は、数字及びテキスト情報の入力のためのキー及び各種機能の設定のための機能キーなどを含む。
【００２２】
メモリ１３０は、プログラムメモリ及びデータメモリを含んでもよい。該プログラムメモリには、携帯端末機の一般的な動作を制御するためのプログラム及び上記携帯端末機のテキスト編集過程におけるマルチテキストの選択を通じてテキストを編集するよう制御するプログラムを記憶することができる。
【００２３】
また、上記メモリ１３０は、本発明の実施形態によりテキスト編集の過程で選択されたマルチテキストを記憶する。
【００２４】
制御部１１０は、携帯端末機の全般的な作動を制御する機能を行う。
上記制御部１１０は、本発明の実施形態により、表示部１６０にテキストを表示する中、上記表示部１６０の一定の領域が一定の時間以上タッチされると、編集メニューウィンドウを表示するよう制御する。上記表示部１６０に表示される上記編集メニューウィンドウは、位置移動が可能である。
【００２５】
また、上記制御部１１０は、本発明の実施形態により、上記編集メニューウィンドウからコピーが選択された後、当該テキストに一定の時間以上、上記編集アイコン及びカーソルが位置されると、上記編集アイコンをコピーアイコンに変更する。そして、上記制御部１１０は、上記コピーアイコン及びカーソルを通じて選択された少なくとも一つのテキストの色を変更し、上記メモリ１３０に記憶するよう制御する。
【００２６】
この際、上記コピーアイコン及びカーソルを通じて選択された少なくとも一つのテキストは、テキスト自体の色が変更されるか、色により区分されるハイライトで表示することができる。また、上記編集アイコンから上記コピーアイコンへの変更は、色の変更からなり、上記編集アイコンが蛍光ペンの形であるとき、上記コピーアイコンは、コピー動作を示す他の色の蛍光ペンの形に表示される。
【００２７】
また、上記制御部１１０は、本発明の実施形態により、上記コピー過程を通じて記憶された色の変更された当該テキストに、上記コピーアイコン及びカーソルが、一定の時間以上位置されると、上記コピーアイコンは取消しアイコンに変更され、該取消しアイコン及びカーソルを通じて選択された当該テキストの色を元の色に変更し、上記メモリ１３０から削除するよう制御する。
【００２８】
この際、上記コピーアイコンから上記取消しアイコンへの変更は、形の変更からなってもよく、上記コピーアイコンで表示される蛍光ペンの形は、取消しを示す消しゴムの形に変更されて表示されてもよい。
【００２９】
また、上記制御部１１０は、本発明の実施形態により、上記編集メニューウィンドウからペーストが選択されると、上記コピー過程から選択された少なくとも一つのテキストを含むリストを表示し、上記リストから選択された当該テキストを編集アイコン及びカーソルが位置された上記表示部１６０の一定の位置にペースト機能を行うよう制御する。
【００３０】
また、上記制御部１１０は、本発明の実施形態により、上記ペースト過程で表示されるリストから当該テキストが選択された後、上記編集アイコン及びカーソルが、上記表示部の削除領域へ移動されると、上記メモリ１３０から当該テキストを削除するよう制御する。
【００３１】
また、上記制御部１１０は、本発明の実施形態により、上記ペースト過程で表示されるリストの少なくとも一つのテキスト各々にチェックボックスを表示し、上記チェックボックスを通じて複数のテキストを選択できるよう制御する。また、上記制御部１１０は、上記選択された複数のテキストを上記表示部１６０の一定の領域に貼り付けるとき、上記チェックボックスを選択した順序によって、順次的に複数のテキストについてのペースト機能を行うよう制御する。
【００３２】
また、上記制御部１１０は、本発明の実施形態により、上記ペースト過程で表示されるリストから当該テキストが一定の時間以上タッチされると、当該テキストを削除するよう制御する。
【００３３】
カメラ部１４０は、映像データを撮影し、撮影された光信号を電気的信号に変換するカメラセンサーと、該カメラセンサーから撮影されるアナログ映像信号を、デジタルデータに変換する信号処理部を備える。ここで、上記カメラセンサーは、ＣＣＤ（Charge-CoupledDevice）又はＣＭＯＳ（ComplementaryMetalOxideSemiconductor）センサーと仮定し、上記信号処理部は、ＤＳＰ（DigitalSignalProcessor）により実現することができる。また、上記カメラセンサー及び信号処理部は、一体型から実現してもよく、また分離して実現してもよい。
【００３４】
上記映像処理部１５０は、上記カメラ部１４０から出力される映像信号を表示部１６０に表示するためのＩＳＰ（ImageSignalProcessing）を行い、該ＩＳＰは、ガンマ矯正、補間、空間的変化、イメージ効果、イメージスケール、ＡＷＢ（AutomaticWhiteBalance）、ＡＥ（AutomaticExposure）、ＡＦ（AutomaticFocusing）などのような機能を行う。従って、上記映像処理部１５０は、上記カメラ部１４０から出力される映像信号をフレーム単位で処理し、上記フレームの映像データを上記表示部１６０の特性及びサイズに合わせて出力する。また、上記映像処理部１５０は、動画コーデックを備え、上記表示部１６０に表示されるフレームの映像データを設定方式で圧縮するか、又は圧縮されたフレームの映像データを元のフレームの映像データに復元する機能を行う。ここで、上記動画コーデックは、ＪＰＥＧ（JointPhotographicExpertsGroup）コーデック、ＭＰＥＧ４（MovingPictureExpertsGroup4）コーデック、Waveletコーデックなどになり得る。上記映像処理部１５０は、ＯＳＤ（OnScreenDisplay）機能を有すると仮定し、上記制御部１１０の制御下に表示される画面のサイズによって、オンスクリーン表示データを出力することができる。
【００３５】
上記表示部１６０は、上記映像処理部１５０から出力される映像信号を画面に表示し、上記制御部１１０から出力されるユーザデータを表示する。ここで、上記表示部１６０は、ＬＣＤ（LiquidCrystalDisplay）、ＯＬＥＤ（OrganicLight-EmittingDiode）のような表示装置を用いてもよい。このような場合、上記表示部１６０は、表示装置の制御部、映像データを記憶できるメモリ及び表示素子などを含んでもよい。ここで、上記表示部１６０は、タッチスクリーン（touchscreen）方式で実現する場合、入力部として動作してもよく、この際、上記表示部１６０には、上記キー入力部１２７のようなキーを表示してもよい。
【００３６】
また、上記表示部１６０は、本発明の実施形態により、上記編集過程において編集メニューウィンドウを表示し、編集を行うための当該テキストへの移動を表示する編集アイコン及びカーソルを表示する。
【００３７】
また、上記表示部１６０は、本発明の実施形態により、上記コピー過程において上記編集アイコンの色が変更されたコピーアイコン及びカーソルを表示し、上記コピーアイコン及びカーソルを通じて選択されて、色の変更された当該テキストを表示する。
【００３８】
さらに、上記表示部１６０は、本発明の実施形態により、上記取消し過程において上記コピーアイコンの形が変更された取消しアイコンを表示し、上記取消しアイコン及びカーソルを通じて選択されて、元の色に変更された当該テキストを表示する。
【００３９】
また、上記表示部１６０は、本発明の実施形態により、上記ペースト過程において、上記コピー過程を通じて選択された少なくとも一つのテキストを含むリストを表示するよう制御する。
【００４０】
上記のような携帯端末機におけるテキスト編集の動作を図２〜図６により詳細に説明する。
【００４１】
図２Ａ〜図２Ｃは、本発明の実施形態による携帯端末機におけるテキスト編集の過程を示すフローチャートである。
【００４２】
以下、本発明のテキスト編集過程を、図１、及び図２Ａ〜図２Ｃを参照しながら詳細に説明する。
図２Ａ及び図２Ｂにおいて、ステップ２０１〜２１３は、本発明の実施形態によるテキストの編集過程の中、コピー過程を説明する。
上記図２Ａを参照して上記コピー過程を説明すると、ステップ２０１で、テキストが上記表示部１６０に表示される間、上記表示部１６０の一定の領域、即ち、定められていないいずれかの領域が、一定の時間以上タッチされると、上記制御部１１０は、ステップ２０２でこれを感知し、上記表示部１６０にコピーメニュー及びペーストメニューを含む編集メニューウィンドウを表示するステップ２０３を進行する。
【００４３】
又は、上記ステップ２０２において、上記携帯端末機が、備えられた特定のキーが一定の時間以上入力されるとき、ステップ２０３で上記表示部１６０に上記編集メニューウィンドウを表示することができる。
【００４４】
上記編集メニューウィンドウからコピーメニューが選択されると、上記制御部１１０は、ステップ２０４で、これを感知し、コピー過程を活性化するよう制御する。そして、テキストを表示中の上記表示部１６０の一定の領域がタッチされると、上記制御部１１０は、ステップ２０５で、これを感知し、上記表示部１６０に編集アイコン及びカーソルを表示するステップ２０６を進む。上記編集アイコン及びカーソルが、コピーしようとする当該テキストに位置された後、一定の時間が経過すると、上記制御部１１０は、ステップ２０７で、これを感知し、上記編集アイコンをコピーアイコンに変更するステップ２０８を進行する。
【００４５】
本発明の実施形態において、編集アイコンは、現社会で重要なテキストに下線を引くのに使われる蛍光ペンであり、コピーアイコンは、上記編集アイコンとして表示される上記蛍光ペンの色が変更されて表示される。
【００４６】
上記コピーアイコン及びカーソルのドラッグ動作を通じて、当該テキストが選択されると、上記制御部１１０は、ステップ２０９でこれを感知し、上記選択された当該テキストの色を変更してコピーされたことを通知し、上記選択された当該テキストを上記メモリ１３０に記憶するステップ２１０を進行する。
【００４７】
上記コピーアイコン及びカーソルのドラッグ動作を通じて選択された上記当該テキストは、テキスト自体の色が変更されるか、色で区分されるハイライト表示を通じて、蛍光ペンで表示するような効果を生じることができる。
【００４８】
再び、上記表示部１６０の一定の領域がタッチされると、ステップ２１１で、上記制御部１１０は、これを感知し、上記ステップ２０６に戻る。従って、上記ステップ２０６〜ステップ２１１を繰り返して行うことにより、ユーザは、上記表示部１６０に表示されるテキストの中の少なくとも一つ、即ち、複数のテキストを選択してコピーすることができる。
【００４９】
又は、図２Ｂを参照して、上記表示部１６０の一定の領域が、一定の時間以上タッチされると、上記制御部１１０は、ステップ２１２で、これを感知し、上記編集メニューウィンドウの表示を終了しながら、上記編集過程を終了するステップ２１３を進行する。
【００５０】
上記図２Ｂのステップ２１４〜２１９では、本発明の実施形態によるテキスト編集過程中の取消し過程を説明する。
上記図２Ｂを参照して、上記取消し過程を説明する。上記図２Ａのコピー過程を行う間、上記表示部１６０において、コピーされたことを示す色の変更された当該テキストに、上記コピーアイコン及びカーソルが、一定の時間以上位置されると、上記制御部１１０は、ステップ２１４で、これを感知し、上記コピーアイコンを取消しアイコンに変更するステップ２１５を進行する。上記ステップ２１５において、上記制御部１１０は、上記蛍光ペンの形で表示される上記コピーアイコンを、消しゴムの形のアイコンに変更して表示することができる。
【００５１】
上記取消しアイコン及びカーソルのドラッグ動作を通じて上記コピーされた、即ち、色の変更された当該テキストが選択されると、上記制御部１１０は、ステップ２１６で、これを感知し、上記選択された当該テキストを元の色に変更して、コピーが取り消されたことを通知し、上記メモリ１３０から上記選択された当該テキストを削除するステップ２１７を進行する。
【００５２】
上記ステップ２１６及び上記ステップ２１７を繰り返して行うことにより、少なくとも一つ、即ち、複数のテキストについてのコピーを取り消すことができる。
【００５３】
また、上記表示部１６０の一定の領域が、一定の時間以上タッチされると、上記制御部１１０は、ステップ２１８で、これを感知し、上記編集メニューウィンドウの表示を終了しながら、上記編集過程を終了するステップ２１９を進行する。
【００５４】
上記図２Ａ及び図２Ｃのステップ２２０〜２２８では、本発明の実施形態によるテキストの編集過程の中、ペースト過程を説明する。
上記図２Ａ及び図２Ｃを参照して上記ペースト過程を説明すると、上記図２Ａで編集メニューウィンドウに含まれたペーストメニューが選択されると、上記制御部１１０は、ステップ２２０で、これを感知し、上記図２Ａのコピー過程を通じてコピーされた少なくとも一つのテキストを含むリストを表示部１６０に表示するステップ２２１を進行する。
【００５５】
上記リストから当該テキストが選択されると、上記制御部１１０は、ステップ２２２で、これを感知し、ドラッグアンドドロップの動作を通じて、上記表示部１６０に表示されるテキストの中、ペーストを所望する一定の位置に編集アイコン及びカーソルが位置されると、上記制御部１１０は、ステップ２２３で、これを感知し、上記一定の位置に上記選択された当該テキストを貼り付けるステップ２２４を進行する。
【００５６】
上記ステップ２２２〜上記ステップ２２４を繰り返して行うことにより、上記リストに含まれた少なくとも一つのテキストを、所望の位置に貼り付け得る機能を行うことができる。
【００５７】
又は、上記リストに含まれた少なくとも一つのテキストにチェックボックスを表示し、上記チェックボックスの選択を通じて少なくとも一つ、即ち、複数のテキストを選択して、上記一定の位置に選択された複数のテキストを貼り付けることができ、このとき、複数のテキストは、選択された順序によって、順次的にペースト機能が行われることができる。
【００５８】
又は、上記リストから当該テキストを選択した後、ドラッグ動作を通じて、上記編集アイコン及びカーソルを上記表示部１６０の削除領域に位置させると、上記制御部１１０は、ステップ２２５で、これを感知し、上記選択された当該テキストを上記メモリ１３０から削除するステップ２２６を進行する。
【００５９】
上記ステップ２２５及び上記ステップ２２６を繰り返して行うことにより、ユーザは、上記リストに含まれた少なくとも一つのテキストを削除することができる。
【００６０】
又は、上記リストに含まれた少なくとも一つのテキスト各々に、チェックボックスを表示し、上記チョックボックスの選択を通じて、少なくとも一つ、即ち、複数のテキストを選択して、上記編集アイコン及びカーソルを上記表示部１６０の削除領域にドラッグすることにより、上記複数のテキストを一括的に削除することができる。
【００６１】
そして、上記表示部１６０の一定の領域が、一定の時間以上タッチされると、上記制御部１１０は、ステップ２２７で、これを感知し、上記編集メニューウィンドウの表示を終了しながら、上記編集過程を終了するステップ２２８を進行する。
【００６２】
又は、上記リストに含まれた少なくとも一つのテキスト中の当該テキストに、一定の時間以上タッチが発生すると、上記制御部１１０は、これを感知し、上記当該テキストを削除するよう制御することができる。
【００６３】
図３Ａ〜図３Ｆは、本発明の実施形態による携帯端末機のテキスト編集過程におけるコピー過程を説明するための図面であり、図４Ａ〜図４Ｃは、本発明の実施形態による携帯端末機のテキスト編集過程における取消し過程を説明するための図面であり、図５Ａ〜図５Ｄは、本発明の実施形態による携帯端末機のテキスト編集過程におけるペースト過程を説明するための図面であり、図６は、本発明の実施形態による携帯端末機のテキスト編集過程における編集メニューの位置移動を説明するための図面である。
【００６４】
上記図３Ａは、テキストが表示されている上記表示部１６０を示す図面であり、上記図３Ａの表示部１６０で、一定の領域が一定の時間以上入力されるか、又は携帯端末機に備えられたキーが一定の時間以上入力されると、上記図３Ｂのように、編集メニューウィンドウ３０１が表示される。
【００６５】
上記図３Ｂに表示中の編集メニューウィンドウ３０１からコピーメニューが選択されると、上記図３Ｃのように、コピーメニューがチェックされながら、活性化される。その後、上記表示部１６０の一定の領域がタッチされると、蛍光ペンの形の編集アイコン及びカーソル３０２が表示され、上記編集アイコン及びカーソル３０２の移動によって、コピーを望む当該テキストへ移動する。
この際、上記編集アイコン及びカーソル３０２の移動は、タッチ入力を保持しながら、移動することができる。
【００６６】
上記編集アイコン及びカーソル３０２の移動を通じて、コピーしようとする当該テキスト（next）に位置された後、一定の時間が経過されると、上記図３Ｄのように、上記編集アイコンを示す蛍光ペンの色が変更されてコピーアイコンとして表示される。
【００６７】
上記コピーアイコン及びカーソル３０３のドラッグ動作を通じて、当該テキストの「next」が選択されると、上記図３Ｅのように、選択された「next」の色が変更され、上記選択された「next」は、上記メモリ１３０に記憶される。
【００６８】
上記図３Ｅのような動作を繰り返して、上記図３Ｆのように、「next」、「However」、及び「Korean」のように、複数のテキストを選択して、コピーされたことを通知するよう色を変更し、上記メモリ１３０に記憶することができる。
【００６９】
上記のようなコピー過程を行う間、上記図４Ａのように、コピーされたことを通知するよう色の変更された当該テキストの「next」に、上記コピーアイコン３０３が一定の時間以上位置されると、上記図４Ｂのように、上記蛍光ペンの形で表示されるコピーアイコン３０３は、消しゴムの形で表示される取消しアイコン３０４に変更されて表示される。
【００７０】
そして、上記図４Ｃのように、上記取消しアイコン及びカーソル３０４のドラッグ動作を通じて「next」が選択されると、上記選択された「next」は、コピーが取り消されたことを通知するよう、元の色に変更されて表示され、上記メモリから「next」が削除される。
【００７１】
上記編集メニューウィンドウ３０１からペースト（paste）メニューが選択されると、上記図５Ａのように、ペーストメニューがチェックされながら、活性化される。そして、同時に、上記コピー過程を通じて記憶された複数のテキスト（「next」、「However」、「Korean」）を含むリスト３０５を表示する。
【００７２】
上記図５Ｂのように、上記リストから「next」が選択された後、ドラッグアンドドロップ動作を通じて、所望の一定の位置に上記編集アイコン及びカーソル３０２を位置させると、上記図５Ｃのように、上記一定の位置に「next」のペースト機能が行われる。
【００７３】
又は、上記図５Ｄのように、上記リストから「next」を選択した後、ドラッグアンドドロップ動作を通じて、上記表示部１６０の削除領域１０６−１に上記編集アイコン及びカーソル３０２を位置させると、上記選択された「next」は上記メモリ１３０から削除される。
【００７４】
上記編集メニューウィンドウ３０１は、上記表示部１６０から位置移動が可能であり、上記図６のように、編集メニューウィンドウ３０１と共に具備された十字形のアイコンのドラッグアンドドロップ動作を通じて、上記編集メニューウィンドウ３０１を移動させることができる。
【００７５】
以上、本発明を具体的な実施形態を参照して詳細に説明してきたが、本発明の範囲及び趣旨を逸脱することなく、様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７６】
１１０  制御部
１３０  メモリ
１４０  カメラ部
１５０  映像処理部
１６０  表示部
１２０  データ処理部
１２７  キー入力部
１２３  ＲＦ処理部
１２５  オーディオ処理部
【図１】
2014523586.tif 000003
【図２Ａ】
2014523586.tif 000004
【図２Ｂ】
2014523586.tif 000005
【図２Ｃ】
2014523586.tif 000006
【図３Ａ】
2014523586.tif 000007
【図３Ｂ】
2014523586.tif 000008
【図３Ｃ】
2014523586.tif 000009
【図３Ｄ】
2014523586.tif 000010
【図３Ｅ】
2014523586.tif 000011
【図３Ｆ】
2014523586.tif 000012
【図４Ａ】
2014523586.tif 000013
【図４Ｂ】
2014523586.tif 000014
【図４Ｃ】
2014523586.tif 000015
【図５Ａ】
2014523586.tif 000016
【図５Ｂ】
2014523586.tif 000017
【図５Ｃ】
2014523586.tif 000018
【図５Ｄ】
2014523586.tif 000019
【図６】
2014523586.tif 000020
【国際調査報告】
2014523586.tif 000021
2014523586.tif 000022